(57)【要約】超伝導部材を保護する技術が開示される。その技術は、超伝導部材を保護するための装置として実現されうる。その装置は、超伝導部材の周囲に適合するように構成された多孔質スリーブを備えることができる。多孔質スリーブは、非導電性の誘電体材料から形成されうる。
2015500563.tif 000002
【特許請求の範囲】
【請求項１】
超伝導部材を保護するための装置であって、
前記超伝導部材の周囲に適合するように構成された多孔質スリーブであって、非導電性の誘電体材料で形成されている、多孔質スリーブを備えることを特徴とする装置。
【請求項２】
前記多孔質スリーブは極限温度に対処するように構成されており、
前記極限温度は、極低温度および故障状態温度の少なくとも１つを含む、請求項１に記載の装置。
【請求項３】
前記多孔質スリーブは、冷却剤が前記超伝導部材に流れるのを可能にするように構成されている、請求項１に記載の装置。
【請求項４】
前記非導電性の誘電体材料は可撓性を有する、請求項１に記載の装置。
【請求項５】
前記多孔質スリーブは、前記超伝導部材が前記多孔質スリーブの外側の物体と直接接触するのを防止する、請求項１に記載の装置。
【請求項６】
前記外側の物体は別の超伝導部材である、請求項５に記載の装置。
【請求項７】
前記多孔質スリーブは、シルク、綿およびウールの少なくとも１つを有する材料からなる、請求項１に記載の装置。
【請求項８】
前記多孔質スリーブは、ポリテトラフルオロエチレン（ＰＥＦＥ）およびポリエチレンテレフタレート（ＰＥＴ）の少なくとも１つを有する材料からなる、請求項１に記載の装置。
【請求項９】
前記多孔質スリーブは、超伝導限流器システム、超伝導マグネットシステムおよび超伝導格納システムの少なくとも１つにおいて使用されるように構成されている、請求項１に記載の装置。
【請求項１０】
前記多孔質スリーブは前記超伝導部材から離れて配置されている、請求項１に記載の装置。
【請求項１１】
送電のための装置であって、
冷却剤に含まれる超伝導体アレイを備え、該超伝導体アレイは、
複数の超伝導部材と、
２つの超伝導部材との間に挿入され前記冷却剤がそれらの間を流れることを可能にするように構成された多孔質誘電体層と、
を有することを特徴とする装置。
【請求項１２】
前記多孔質誘電体層は、前記超伝導部材の１つと接触している、請求項１１に記載の装置。
【請求項１３】
前記多孔質誘電体層は、前記超伝導部材から離れて配置されている、請求項１１に記載の装置。
【請求項１４】
前記多孔質誘電体層は、１つの超伝導部材の周囲に適合するように構成された多孔質スリーブである、請求項１１に記載の装置。
【請求項１５】
別の超伝導部材の周囲に適合するように構成された多孔質スリーブを更に備える、請求項１４に記載の装置。
【請求項１６】
前記多孔質スリーブは前記別の多孔質スリーブに結合している、請求項１５に記載の装置。
【請求項１７】
前記多孔質スリーブおよび前記別の多孔質スリーブは積層配置されている、請求項１６に記載の装置。
【請求項１８】
前記多孔質スリーブおよび前記別の多孔質スリーブは並列配置されている、請求項１６に記載の装置。
【請求項１９】
前記超伝導体アレイは極限温度に対処するように構成されており、前記極限温度は極低温度および故障状態温度の少なくとも１つを含む、請求項１１に記載の装置。
【請求項２０】
前記多孔質誘電体層は可撓性を有する、請求項１１に記載の装置。
【請求項２１】
前記多孔質誘電体層は前記超伝導部材が互いに直接接触するのを防ぐ、請求項１１に記載の装置。
【請求項２２】
前記多孔質誘電体層は、シルク、綿、ウール、ポリテトラフルオロエチレン（ＰＴＦＥ）およびポリエチレンテレフタレート（ＰＥＴ）の少なくとも１つを有する材料からなる、請求項１１に記載の装置。
【請求項２３】
送電のための装置であって、
タンクと、
該タンクに含まれる冷却剤と、
前記タンクに含まれる超伝導体アレイとを備え、該超伝導体アレイは、
複数の超伝導部材と、
複数の多孔質誘電体スリーブとを有し、該複数の多孔質誘電体スリーブの各々は、前記複数の超伝導部材の１つの周囲に適合するように構成され、前記冷却剤がそれらの間に流れるのを可能にするように構成されていることを特徴とする装置。
【請求項２４】
前記超伝導体アレイは、超伝導限流器システム、超伝導マグネットシステム、および超伝導格納システムの少なくとも１つにおいて使用されるように構成されている、請求項２３に記載の装置。
【請求項２５】
前記多孔質誘電体スリーブは、シルク、綿、ウール、ポリテトラフルオロエチレン（ＰＴＦＥ）およびポリエチレンテレフタレート（ＰＥＴ）の少なくとも１つを有する材料からなる、請求項２３に記載の装置。
【発明の詳細な説明】
【技術分野】
【０００１】
本開示は、概して超伝導（ＳＣ）システムに関し、より詳細にはＳＣ部材を保護するための技術に関するものである。
【背景技術】
【０００２】
電力伝送および電力供給網では故障電流状態が発生しうる。故障電流状態は、電力供給網における故障または短絡により引き起こされる、電力供給網を流れる電流の突発的な増大である。故障の原因には、悪天候または倒木による、網を直撃する稲妻並びに送電線の故障および接地が含まれうる。故障が発生すると同時に、大きな抵抗が発生する。それに呼応して、網はこの抵抗に多くの電流を流し（つまり、過電流）、その場合には故障に至る。このような電流増大または故障電流状態は望ましくなく、網または網に接続された設備に被害を与えうる。特に、網およびそれに接続されている設備は焼けるか、場合によっては爆発しうる。
【０００３】
故障電流により引き起こされる被害から電力設備を保護するために使用されるシステムの１つが、回路ブレーカーである。故障電流が検出されると、回路ブレーカーは機械的に回路を開いて過電流が流れるのを妨げる。回路ブレーカーは、典型的には起動するのに３〜６電力サイクル（０．１秒まで）を要するため、送電線、変圧器および開閉装置のような様々な網の要素が依然として破壊される可能性がある。
【０００４】
故障電流を制限して電力設備を故障電流により引き起こされる故障から保護する別のシステムは、超伝導限流器（ＳＣＦＣＬ）システムである。一般に、ＳＣＦＣＬシステムは、臨界温度レベルＴｃ、臨界磁場レベルＨｃおよび臨界電流レベルＩｃより下ではほぼゼロ抵抗を示す超伝導回路を備える。これらの臨界レベル状態の少なくとも１つを超えると、回路がクエンチして抵抗を示す。
【０００５】
通常動作中は、ＳＣＦＣＬシステムの超伝導回路は、Ｔｃ、ＨｃおよびＩｃの臨界レベル状態よりも下に維持されている。故障中は、前述の臨界レベル状態を超えている。直ちに、ＳＣＦＣＬシステムにおける超伝導回路はクエンチされて抵抗が急増し、故障電流の伝送を制限して網および関連設備に負荷が掛かりすぎるのを防止する。少し後に故障電流が解消された後、超伝導回路は通常動作に戻り、臨界レベル状態を超えず、電流は再び網およびＳＣＦＣＬシステム中を流れる。
【発明の概要】
【発明が解決しようとする課題】
【０００６】
ＳＣＦＣＬシステムは、直流（ＤＣ）または交流（ＡＣ）電流環境で動作しうる。ＡＣ損失（つまり、超伝導の熱損失またはヒステリシス損失）からの一定の電力損失が存在するが、これは冷却システムにより除去することができる。典型的には平角線または導電性テープの形態の導体は、ＳＣＦＣＬシステムにおいて、典型的には電気エネルギーまたは電気信号を伝送するのに使用される。しかしながら、ＳＣＦＣＬシステムにおいて使用される従来の導電性テープは、典型的には著しい熱損失に繋がる。換言すれば、これらの導電性テープの熱が著しく増加し、導電性テープが膨張して互いに接触する可能性を増大させる。また、導電性テープは、典型的には導電性テープ中を流れる電流により生成される磁場により振動する。したがって、温度の上昇とともに導電性テープの振動は、通常または故障状態中に導電性テープ間の接触を増加しうる。このような接触は、軽微であったとしても電気的および／または機械的な妨害を引き起こし、導電性テープの寿命および信頼性の低下を引き起こしうる。その結果、導電性テープをこのような妨害から保護することは、製造業者が考慮すべき重要な因子となりうる。
【０００７】
よって、上述の点で、ＳＣシステムに使用される導電性テープのための電流技術に関連する大きな問題および欠点が存在しうることが理解されるだろう。
【課題を解決するための手段】
【０００８】
ＳＣ部材を保護する技術が開示される。１つの特定の代表的な実施形態において、その技術は、ＳＣ部材を保護する装置として実現することができる。その装置は、ＳＣ部材に適合するように構成された多孔質スリーブを備えることができる。多孔質スリーブは非導電性の誘電体材料で形成することができる。
【０００９】
この特定の代表的な実施形態の別の態様に関連して、多孔質スリーブは、極限温度に対処するように構成することができる。極限温度は、極低温度および故障状態温度の少なくとも１つを含むことができる。
【００１０】
この特定の代表的な実施形態の更なる態様に関連して、多孔質スリーブは、超伝導部材に冷却対が流れるのを可能にするように構成することができる。
【００１１】
この特定の代表的な実施形態の追加の態様に関連して、非導電性の誘電体材料は可撓性を有してもよい。
【００１２】
この特定の代表的な実施形態の別の態様に関連して、多孔質スリーブは、ＳＣ部材が多孔質スリーブの外部の物体と直接接触するのを防止することができる。外部物体は、別のＳＣ部材であってよい。
【００１３】
この特定の代表的な実施形態の更なる態様に関連して、多孔質スリーブは、シルク、綿およびウールの少なくとも１つを有する材料で形成できる。
【００１４】
この特定の代表的な実施形態の追加の態様に関連して、多孔質スリーブは、ポリテトラフルオロエチレン（ＰＴＦＥ）およびポリエチレンテレフタレート（ＰＥＴ）の少なくとも１つを有する材料で形成できる。
【００１５】
この特定の代表的な実施形態の別の態様に関連して、多孔質スリーブは、ＳＣＦＣＬシステム、ＳＣマグネットシステム、およびＳＣ格納システムの少なくとも１つにおいて使用されるように構成することができる。
【００１６】
この特定の代表的な実施形態の更なる態様に関連して、多孔質スリーブは、ＳＣ部材から離間して配置することができる。
【００１７】
別の特定の代表的な実施形態において、その技術は、電流通過のための装置として実現することができる。その装置は、冷却剤中に含まれる超伝導体アレイを備えることができる。超伝導体アレイは、複数のＳＣ部材および２つのＳＣ部材の間に挿入されて、冷却剤がそれらを通過するように構成された多孔質誘電体層を備えることができる。
【００１８】
この特定の代表的な実施形態の追加の態様に関連して、多孔質誘電体層をＳＣ部材の１つと接触させてもよい。
【００１９】
この特定の代表的な実施形態の別の態様に関連して、多孔質誘電体層は、ＳＣ部材から離間して配置してもよい。
【００２０】
この特定の代表的な実施形態の更なる態様に関連して、多孔質誘電体層は、１つのＳＣ部材に適合するように構成された多孔質スリーブであってもよい。
【００２１】
この特定の代表的な実施形態の追加の態様に関連して、装置は更に、別のＳＣ部材に適合するように構成された別の多孔質スリーブを備えることができる。
【００２２】
この特定の代表的な実施形態の別の態様に関連して、多孔質スリーブは別の多孔質スリーブに結合されてよい。
【００２３】
この特定の代表的な実施形態の更なる態様に関連して、多孔質スリーブおよび別の多孔質スリーブは積層配置してもよい。
【００２４】
この特定の代表的な実施形態の追加の態様に関連して、多孔質スリーブおよび別の多孔質スリーブは並列配置してもよい。
【００２５】
この特定の代表的な実施形態の別の態様に関連して、超伝導体アレイは、極限温度に対処するように構成されている。極限温度は、極温度および故障状態温度の少なくとも１つを備えることができる。
【００２６】
この特定の代表的な実施形態の更なる態様に関連して、多孔質誘電体層は可撓性を有してもよい。
【００２７】
この特定の代表的な実施形態の追加の態様に関連して、多孔質誘電体層は複数のＳＣ部材が互いに直接接触するのを防止することができる。
【００２８】
この特定の代表的な実施形態の別の態様に関連して、多孔質誘電体層は、シルク、綿、ウール、ポリテトラフルオロエチレン（ＰＴＦＥ）およびポリエチレンテレフタレート（ＰＥＴ）の少なくとも１つを有する材料で形成できる。
【００２９】
別の特定の代表的な実施形態において、その技術は、電流通過のための装置として実現することができる。装置は、タンク、該タンク中に含められた冷却剤およびタンク中に含められた超伝導体アレイを備えることができる。超伝導体アレイは、複数のＳＣ部材および複数の多孔質誘電体スリーブを備えることができる。複数の多孔質誘電体スリーブの各々は、複数のＳＣ部材の１つの周囲に適合してそれらの間に冷却剤が流れるように構成することができる。
【００３０】
この特定の代表的な実施形態の追加の態様に関連して、超伝導体アレイは、超伝導限流器、ＳＣマグネットシステムおよびＳＣ格納システムの少なくとも１つにおいて使用されるように構成することができる。
【００３１】
この特定の代表的な実施形態の別の態様に関連して、多孔質誘電体スリーブは、シルク、綿、ウールポリテトラフルオロエチレン（ＰＴＦＥ）およびポリエチレンテレフタレート（ＰＥＴ）の少なくとも１つを有する材料で形成できる。
【００３２】
ここで、添付の図面に示されたような特定の実施形態に関連して、本開示をより詳細に説明する。本開示を特定の実施形態を参照して以下に説明するが、本開示はそれらに限定されないことを理解されたい。この技術に触れた当業者であれば、ここで説明した本開示の範囲内にあり、本開示が著しく有益になりうる、別の利用分野とともに追加の実装、変更および実施形態を認識するだろう。
【００３３】
本開示のより深い理解を可能にするために、ここで添付の図面を参照する。ここで、同様の構成要素には同様の符号が付されている。これらの図面は、本開示を限定するものとして解釈されるべきではなく、単に代表しているに過ぎない。
【図面の簡単な説明】
【００３４】
【図１】本開示の一実施形態による、超伝導（ＳＣ）部材を使用する超伝導限流器（ＳＣＦＣＬ）を示している。
【図２】本開示の様々な実施形態による、ＳＣ部材を保護するためのスリーブ配置を示している。
【図３Ａ】本開示の様々な実施形態による、ＳＣ部材を保護するためのマルチスリーブアレイを示している。
【図３Ｂ】本開示の別の様々な実施形態による、ＳＣ部材を保護するためのマルチスリーブアレイを示している。
【発明を実施するための形態】
【００３５】
本開示の実施形態は、ＳＣ部材を保護するための技術を提供する。
【００３６】
ＳＣＦＣＬシステムは、グランドから電気的に分離された容器を備え、該容器をグラウンドポテンシャルから電気的に分離することができる。幾つかの実施形態において、容器を接地することができる。ＳＣＦＣＬシステムは、１つまたは複数の導電ラインに電気的に接続された第１および第２の端子、並びに容器内に含まれる第１の超伝導回路を有することもでき、第１の超伝導回路は、第１および第２の端子に電気的に接続されている。
【００３７】
図１を参照すると、本開示の一実施形態による、ＳＣ部材を用いた代表的なシステムが示されている。本実施形態においては、ＳＣ部材を用いたＳＣＦＣＬシステム１０が示されている。なお、本実施形態はＳＣＦＣＬシステム１０に焦点を当てるが、本開示はそれに限定されない。当業者は、例えばワイヤー、ケーブル、またはテープのような温度を変更するように露出された導電性部材を備える別の電気的システムも同様に適用できることを認識するだろう。
【００３８】
本実施形態のＳＣＦＣＬシステム１００は、１つ以上のモジュール１１０を備えることができる。明確さおよび簡便さのために、ＳＣＦＣＬシステム１００の説明は、単一のフェーズのモジュール１１０に限定するが、本開示に従って１以上のフェーズのモジュールを用いた様々な別の実施形態を考慮することができる。
【００３９】
ＳＣＦＣＬシステム１００のフェーズモジュール１１０は、内部にチャンバーを規定する容器またはタンク１１２を備えることができる。一実施形態において、容器またはタンク１１２は、熱的に遮断されうる。別の実施形態において、容器またはタンク１１２は、電気的に絶縁することができる。容器またはタンク１１２は、繊維ガラスまたは別の誘電体材料のような様々な材料で形成できる。別の実施形態において、容器またはタンク１１２は、金属（例えば、ステンレス鋼、銅、アルミニウムまたは別の金属）のような導電性材料で形成できる。容器またはタンク１１２は、外層１１２および内層１１２ｂを備えることもできる。絶縁媒体（例えば、熱的および／または電気的絶縁媒体）を、外層１１２ａと内層１１２ｂとの間に挿入することができる。
【００４０】
幾つかの実施形態において、容器またはタンク１１２は、アースに接続されても、接続されなくてもよい。図１に示された配置において、容器またはタンク１１２はアースに接続されており、浮遊タンク配置と呼ぶことができる。別の実施形態において、容器またはタンク１１２は、送電／供給網送電線１４２ａおよび１４２ｂに電気的に結合され、稼働電圧に維持できる。
【００４１】
容器またはタンク１１２内において、１以上の限流ユニット１２０を有することができ、明確さおよび簡便さのためにブロックで示されている。モジュール１１０は、１つ以上の電気的ブッシング１１６を備えることができる。ブッシング１１６の遠方の端部は、端子１４４および１４６を介してそれぞれ送電網電線１４２ａおよび１４２ｂに結合することができる。この配置は、モジュール１１０が送電／供給網（図示せず）に結合するのを可能にすることができる。電線１４２ａおよび１４２ｂは、電力をある位置から別の位置に送る送電線（例えば、電流源から電気のエンドユーザまで）、または電力または配電線とすることができる。
【００４２】
ブッシング１１６は、端子１４４および１４６を限流ユニット１２０に接続する内部導電性材料を有する導体を備えることができる。一方、外層１１２ａは、容器またはタンク１１２を内部導電材料から絶縁するために使用され、容器またはタンク１１２、並びに端子１４４および１４６が異なる電気ポテンシャルとなるのを可能にできる。幾つかの実施形態において、モジュール１１０は、電気的ブッシング１１６に含まれる導電性材料を接続するように、分路リアクトル１１８または外部分路リアクトル１４８、あるいは両方を備えることができる。
【００４３】
幾つかの絶縁サポートを使用して、様々な電位を互いに絶縁することができる。例えば、容器またはタンク１１２内の絶縁サポート１３２を使用して、限流ユニット１２０の電位を容器またはタンク１１２から絶縁することができる。追加のサポート１３４を使用して、プラットフォーム１６０およびその上に載置された要素をグラウンドから絶縁することができる。
【００４４】
限流ユニット１２０の温度は、容器またはタンク１１２内の冷却剤１１４を用いて所望の温度範囲に維持することができる。幾つかの実施形態において、限流ユニット１２０は、冷却されて低温範囲、例えば７７Ｋ付近に維持されうる。冷却剤１１４は、液体窒素または低温液体または低温ガスを含むことができる。冷却剤１１４自体は、電気的冷却システムを用いて冷却され、低温コンプレッサー１１７および変換器１１５を備えることもできる。冷却剤１１４を低温に維持するために、別のタイプの冷却システムも使用することもできる。
【００４５】
ＳＣテープのような平坦な導電性テープを使用して、ＳＣＦＣＬシステム１００において電気エネルギーまたは電気信号を伝送することができる。しかし、当業者は、本開示はワイヤー、ケーブルまたは他の形態のＳＣ部材を用いることを除外しないことを理解するだろう。故障状態の間、ＳＣ部材は極限状態下に置かれ、上述のように電力損失に起因する過剰な熱を呈しうる。熱はＳＣ部材に広がり、ＳＣ部材が別のＳＣ部材またはＳＣＦＣＬシステム１１０における別の物体に接触しうる。熱膨張方向に加えて、ＳＣ部材における電流からの磁場により引き起こされる振動運動も別のＳＣ部材または物体との接触の確率を更に高める可能性がある。
【００４６】
ＳＣＦＣＬシステム１００のＳＣ部材は、典型的には互いに隣接しており（例えば、並んでいるか積層されており）、このような接触は、機械的被害、例えばこれらのＳＣ部材のスクラップおよびスクラッチを引き起こしうる。これらのＳＣ部材は高価であり交換が負担となるため、これは性能、信頼性およびコストの悪化を引き起こしうる。ＳＣ部材による、ＳＣ部材への連続的および長期の接触に起因する電気的妨害も存在しうる。
【００４７】
図２は、本開示の様々な実施形態による、ＳＣ部材を保護するためのスリーブ配置２００を示している。この配置２００において、ＳＣテープ２０２はスリーブ２０４を含むことができる。
【００４８】
ＳＣテープ２０２は、複数の層を含むことができ、その１以上は高温超伝導（ＨＴＳ）層とすることができる。その層におけるＨＴＳの例は、ＹＢＣＯまたは別の希土類ＢＣＯ（ＲｅＢＣＯ）、ＢＳＣＣＯ、ＴＢＣＣＯ、またはＨｇＢａ２Ｃａ２Ｃｕ３Ｏｘ、のような酸化銅ベースの超伝導体、または別の鉄（Ｆｅ）ベースのＨＴＳを含むことができる。ＨＴＳ層の上および／または下に、様々な導電性材料で形成された１以上の層が存在してもよい。これらの導電性材料は、銅、アルミニウム、銀、鋼または別の導電性材料または複合体を含むことができる。
【００４９】
スリーブ２０４は、ＳＣテープの周囲に適合するように構成できる。幾つかの実施形態において、スリーブ２０４は、ＳＣテープの周囲に密接に適合するように構成できる。これは、過剰なスリーブ材料がＳＣＦＣＬシステム１００の通常動作を妨害するのを防止できる。別の実施形態において、スリーブ２０４は、ＳＣテープ２０２の周囲に緩く適合するように構成できる。これは、大きな通気性を可能にしてＳＣテープ２０２への液体および／またはガスの流れを可能にして、ＳＣテープ２０２の冷却を制限しないようにすることができる。
【００５０】
スリーブ２０４は、非導電性の誘電体材料から形成できる。換言すれば、スリーブ２０４は、ＳＣテープ２０２の外部状態からの電気的絶縁を提供できる。
【００５１】
幾つかの実施形態において、スリーブ２０４は、極限状態に対処するように構成できる。これらは、温度変動、振動運動、極限温度または別の環境因子を含みうる。ＳＣテープ２０２は、これらの極限状態に置かれうるため、スリーブ２０４は、これらの状態にも耐える耐久性を有する材料で形成できる。
【００５２】
例えば、極低温度は約６５Ｋ以下に、故障温度は６００Ｋ以上に達しうるため、スリーブ２０４は、これらの状態に対処できる耐久性を有する材料で形成できる。
【００５３】
幾つかの実施形態において、スリーブ２０４は、生地材または織物材料で形成できる。これらの材料は、冷却剤（例えば、液体窒素または別の寒剤）を吸収して保持することができ、大きなテープ回復（および低減された回復時間）を提供することもでき、故障状態中に蒸気をＳＣテープの周囲に形成することができる。
【００５４】
スリーブ２０４を形成するのに使用されうる幾つかの材料は、シルク、綿、テフロン（登録商標）（またはポリテトラフルオロエチレン（ＰＴＦＥ））、ポリエチレンテレフタレート（ＰＥＴ）またはそれらの組み合わせを含むことができる。別の様々な材料、生地、織物および複合体も提供できる。
【００５５】
以下に示すように、表１は、２つの代表的な材料（テフロン（登録商標）およびシルク）の様々な条件下での代表的な比較を提供している。
【００５６】
【表１】
2015500563.tif 000003
【００５７】
なお、テフロン（登録商標）およびシルクの利益は変動しうるが、これらの材料の全体的な利点は、綿、ウールおよびポリエチレンテレフタレート（ＰＥＴ）と同様、スリーブ２０４において使用するのに十分であろう。
【００５８】
図３Ａは、本開示の様々な実施形態による、ＳＣ部材を保護するためのマルチスリーブアレイ３００Ａを示している。このマルチスリーブアレイ３００Ａにおいて、２つのＳＣテープ２０２は互いに近接して配置できる。この例において、ＳＣテープ２０２は、並列配置で互いに隣接することができる。よって、マルチスリーブ３０４ａは、これらのＳＣテープ２０２を保護するために使用できる。
【００５９】
マルチスリーブ３０４ａは、図２を参照して説明したような、単一のスリーブ２０４の全ての特徴を備えることができる。しかし、マルチスリーブ３０４ａは、２以上のスリーブが互いに結合されたときに有効に機能できる。この場合、マルチスリーブ３０４ａは、図３Ａに示すように並列配置で互いに結合させることができる。上述のように、ＳＣテープは、しばしば別のＳＣテープの近くに位置する可能性がある。従って、マルチスリーブ３０４ａを用いることは、別のＳＣテープまたは別の物体との接触から保護することができる。
【００６０】
なお、マルチスリーブアレイ３００Ａは、２つのＳＣテープ２０２に適合するマルチスリーブ３０４ａに関するものであるが、より多くのスリーブを設けてより多くの並んだＳＣテープに適合させることができる。
【００６１】
図３Ｂは、本開示の別の様々な実施形態による、ＳＣ部材を保護するためのマルチスリーブアレイ３００Ｂを示している。このマルチスリーブアレイ３００Ｂにおいては、６つのＳＣテープ２０２が互いに近くに配置できる。この例においては、ＳＣテープ２０２は、積層配置で互いに隣接してもよい。よって、マルチスリーブ３０４ｂは、これらのＳＣテープを保護するのに使用できる。
【００６２】
マルチスリーブ３０４ｂは、図２を参照して説明したような、単一のスリーブ２０４の全ての特徴を備えることができる。しかし、マルチスリーブ３０４ｂは、複数のスリーブが互いに結合されたときに有効に機能できる。この場合、マルチスリーブ３０４ｂは、図３Ｂに示すように、積層配置で互いに結合してもよい。上述のように、ＳＣテープは、しばしば別のＳＣテープの近くに位置してもよい。従って、マルチスリーブ３０４ｂを用いることは、別のＳＣテープまたは別の物体との接触から保護することができる。
【００６３】
なお、マルチスリーブアレイ３００Ｂは、６つのＳＣテープ２０２に適合するマルチスリーブ３０４ｂに関するものであるが、より多くの、またはより少ないスリーブを設けてより多くの積層配置のＳＣテープに適合させることができる。
【００６４】
なお、上述の実施形態は、ＳＣスリーブに対する幾つかの配置に関するものであるが、別の様々な構成、配置、形状および／または設計を提供することもできる。例えば、マルチスリーブアレイは、積層された、並んだ配置を有することができる。別の様々な配置も実現されうる。別の様々な配置、形状、変更およびそれらの組み合わせも提供できる。
【００６５】
また、上述のスリーブの実施形態は、主に様々な生地ベース材料に関するものであるが、別のタイプの材料も使用できる。例えば、様々な多孔質および／またはポリマーベース材料も使用できる。ガラス、プラスチック、ゴム、エポキシ、エポキシベース複合材料、または別の誘電体材料のような別の材料も使用できる。なお、上述のように、これらの材料は生地ベース材料と同じ結果または利点を提供しないかもしれないが、様々な用途または状況に応じて考慮できる。
【００６６】
また、本開示の実施形態は、ＳＣテープに関するものであるが、ワイヤー、ケーブル、または別の導体または材料のような、別の様々な部材も提供できる。
【００６７】
また、本開示の実施形態は、ＳＣＦＣＬシステムに関するものであるが、ＳＣマグネット、ＳＣエネルギー格納設備および別の超伝導用途または導電性テープまたは同様の構成要素を用いた別の用途のような別の様々な用途および実装も提供できる。
【００６８】
ＳＣ部材をスリーブで保護することにより、ＳＣテープの維持におけるより高い寿命、耐久性およびコストを実現できる。
【００６９】
本開示は、個々で説明した特定の実施形態により範囲が限定されるべきではない。実際、述の説明および添付の図面から、ここで説明したものに加えて、本開示の別の様々な実施形態および変更が当業者には明らかであろう。従って、このような別の実施形態および変更は、本開示の範囲に含まれることを意図している。また、本開示は、ここでは特定の目的のために特定の環境における特定の実装に関連して説明したが、当業者は、その有用性はそれらに限定されず本開示はあらゆる目的のあらゆる環境において有益に実装できることを認識するだろう。よって、以下に記載する特許請求の範囲は、ここで説明した本開示の完全な範囲および精神を考慮して解釈されるべきである。
【図１】
2015500563.tif 000004
【図２】
2015500563.tif 000005
【図３Ａ】
2015500563.tif 000006
【図３Ｂ】
2015500563.tif 000007
【国際調査報告】
2015500563.tif 000008
2015500563.tif 000009
2015500563.tif 000010